(57)【要約】【課題】ダイヤルのクリック機構を解除できるようにする。【解決手段】ダイヤルのクリック機構を、非磁性体で形成したロータ３の周に、磁性体のボール４を磁石で形成した当接部２８を有する弾性部材２７で圧接する構成とする。このような構成を採用することにより、前記弾性部材を撓ませると、ロータに圧接されたボールを吸着して離反させることができるので、クリック機構９を簡単に解除できる。【選択図】図１
2006286349.tif 000002
【特許請求の範囲】
【請求項１】
全周に凹部（１）と凸部（２）を順に形成したロータ（３）をシャフト（１１）に取り付け、そのシャフト（１１）に取り付けた前記ロータ（３）の周にボール状の係止部材（４）を弾性部材（２７）によって圧接したダイヤルのクリック機構において、
上記ロータ（３）を非磁性体で形成するとともに、上記弾性部材（２７）かボール状の係止部材（４）のいずれか一方を磁性体で形成し残りを磁石で形成するか、あるいは両方を磁石で形成し、その弾性部材（２７）を移動させてボール状の係止部材（４）をロータ（３）から離反させるようにしたクリック機構。
【請求項２】
上記弾性部材（２７）を板状のものとして一方を固定し、他方にボール状の係止部材（４）との当接部（２８）を形成し、その当接部（２８）で前記ボール状の係止部材（４）をロータ（３）の周に圧接できるようにするとともに、
上記弾性部材（２７）の全部あるいは当接部（２８）のどちらかと、ボール状の係止部材（４）のいずれか一方を磁性体で形成し、残りを磁石で形成するか、または、両方を磁石で形成し、
上記一方が固定された弾性部材（２７）の他端を撓ませることにより前記ロータ（３）へ圧接されたボール状の係止部材（４）を、離反するようにした請求項１に記載のクリック機構。
【請求項３】
パネル（１３）の貫通孔（２０）から突出させた回転素子本体（１０）のシャフト（１１）に取り付けるダイヤルツマミ（１２）とパネル（１３）間に制動板（１４）を備え、前記回転素子本体（１０）にクリック機構（９）を備えて、
上記パネル（１３）は、制動板（１４）の配置されるパネル面に突部（２２）が形成されるとともに、制動板側とクリック機構側を連通する切欠（２３）が形成され、
一方、上記ダイヤルツマミ（１２）は、制動板側の内側に摩擦板（１８）を備え、
上記制動板（１４）は、前記ダイヤルツマミ（１２）の摩擦板（１８）との接触部（１６）を備え、その接触部（１６）をパネル面に対して傾斜させて、パネル面に設けた突部（２２）との接触量が傾斜に応じて変わるようにし、かつ、制動板（１４）の側部にレバー（１７）を設けてダイヤルツマミ（１２）から突出するようにし、前記レバー（１７）でもって制動板（１４）を回動できるようにするとともに、前記制動板（１４）にはその回動に伴ってパネル（１３）の連動用の切欠（２３）を介して前記回転素子本体（１０）のクリック機構（９）と当接する連動部材（２６）を設け、
上記クリック機構（９）は、請求項２に記載の回転素子本体（１０）のシャフト（１１）に非磁性体のロータ（３）を有し、そのロータ（３）に磁性体あるいは磁石のボール状の係止部材（４）を板状の磁石または磁性体の弾性部材（２７）で圧接するものとし、その弾性部材（２７）に、制動板（１４）の連動部材（２６）と係合して弾性部材（２７）を撓ませるための係合部（３０）を備えたダイヤル。
【発明の詳細な説明】
【技術分野】
【０００１】
この発明は、例えば、通信機器やＡＶ機器のダイヤルに用いられるクリック機構とそのクリック機構を用いたダイヤルに関するものである。
【背景技術】
【０００２】
ダイヤルを使って調整をする通信機器やＡＶ機器では、ダイヤルに多様な操作性が要求される。
【０００３】
例えば、無線通信機などの周波数調整では、目的の周波数の近辺に近づくまでは、周波数を大きく変えたいのでダイヤルは軽くて早く回る方がよい。一方、目的の周波数の近辺まで近づくと微調整をしたいので、ダイヤルは程よく重くて余り回らない方が精度良く調整できる。
【０００４】
そのため、このような相反する操作性の問題を解決する一つの方法として、例えば、（特許文献１）には、本出願人が出願した「回転ツマミの制動力調整機構」が記載されている。
【０００５】
この調整機構は、図１（本願のものと一部一致しているので本願の図１を用いて説明する）に示すように、回転素子本体１０のシャフト１１に取り付けるダイヤルツマミ（以下、ツマミ）１２とパネル１３間に制動板１４を設けたもので、制動板１４は、舌片状の接触部１６を備えている。前記接触部１６は、パネル１３に対して傾斜させることにより、制動板１４に設けたレバー１７を回すと、パネル１３面に設けた突部２２との接触量が（傾斜に応じて）変わり高さが変わるので、ツマミ１２の内側に設けた摩擦板１８との摩擦量が変わる。その結果、ツマミ１２が軽く良く回る状態から重くて余り回らない状態まで調整できるというものである。
【０００６】
ところが、近年のデジタル表示に対応して、細かい調整もできるようにするためには、１カウントごとに確実に調整ができる方がよく、１カウントごとのクリックをダイヤルに付加して使い分けができるようにという要望が強まっている。
【０００７】
従来、このようなクリックをダイヤルに付与する方法としては、例えば、（特許文献２）のクリック付きのセレクト機構に記載されているようなクリック機構が採用されている。このクリック機構は、図９に示すように、凹部１と凸部２を順に形成したロータ３の周に、ボール状の係止部材（以下、ボール）４をスプリング５によって圧接する構造となっている。そのため、ロータ３に挿通したシャフトに取り付けたダイヤルツマミを回すと、スプリング５で圧接されたボール４がロータ３の凸部２を乗り越えて凹部１に嵌まり、所要のクリックが得られるというものである。
【特許文献１】特開平９−３４５７５号公報
【特許文献２】特開２００４−３２７２１号公報
【発明の開示】
【発明が解決しようとする課題】
【０００８】
ところで、上記のようなクリック機構を「制動力調整機構」のダイヤルに付加して使い分けができるようにするためには、「制動力調整機構」を使用する際に、クリック機構が解除できなければならない。
【０００９】
しかしながら、前記クリック機構は、ロータにスプリングでボールを圧接する構造のため、例えば、スプリングを緩めて圧接を止めると、ボールはフリーとなり、ボールをコントロールできなくなるのでロータから完全に離せない。そのため、ボールをスプリングに固定してしまうと、ロータに圧接した際に、ロータと一緒に回転してロータの回転力を逃がすことができなくなり上手く回せなくなるので、使用できないという問題があった。
【００１０】
そこで、この発明の課題は、クリック機構を解除できるようにして、制動力調整機構のダイヤルにクリック機構を付加して使い分けができるようにすることである。
【課題を解決するための手段】
【００１１】
上記の課題を解決するため、この発明では、ロータを非磁性体で形成して、磁界の影響を受けないようにするとともに、上記弾性部材かボールのいずれか一方を磁性体で形成し残りを磁石で形成するか、あるいは両方を磁石で形成することにより、磁力でもって弾性部材とボールとが吸着できるようにする。このように、磁力でもってボールを吸着（固着ではなく）できるようにしたことにより、ボールをロータに圧接している場合でもボールは回転してロータの回転を妨げることはない。また、弾性部材を移動すると、移動する弾性部材とボールが吸着してロータから離反させることができるので、クリック機構を解除できる。なお、上記磁石とは強磁性体を磁化したものも含むものである。
【００１２】
その際、弾性部材の全部あるいはボールとの当接部のどちらかと、ボールのいずれか一方を磁性体で形成し、残りを磁石で形成するか、または、両方を磁石で形成すればよく、さらに、弾性部材を板状のものとして一方を固定すれば、弾性部材を撓ませることにより、ロータに圧接されたボールを吸着して離反することができる。
【００１３】
また、パネルの挿通孔から突出させた回転素子本体のシャフトに取り付けるダイヤルツマミとパネル間に設けられる制動板と、前記回転素子本体に設けたクリック機構間に、パネルの連動用の切欠を介して前記回転素子本体のクリック機構の弾性部材の係合部と当接する連動部材を設けたことにより、制動板を回動させれば連動部材によりクリック機構を解除できるので、レバー操作でダイヤルツマミの制動力調整機構とクリック機構を使い分けることができる。
【発明の効果】
【００１４】
以上のように構成したことにより、ダイヤルのクリック機構を解除できる。また、クリック機構を解除して使い分けができるようにしたので、制動力調整機構のダイヤルにクリック機構を付加することができる。
【発明を実施するための最良の形態】
【００１５】
以下、この発明を実施するための最良の形態を図面に基づいて説明する。
【００１６】
図１に示すように、この形態は本願のクリック機構を制動力調整機構のダイヤルに付加したものである。
【００１７】
すなわち、前記ダイヤルは、パネル１３から突出させた回転素子本体１０のシャフト１１に取り付けるダイヤルツマミ１２とパネル１３間に制動板１４を備え、前記回転素子本体１０にクリック機構９を備えたものである。
【００１８】
前記パネル１３は、例えば、無線通信機などのもので、パネル面に円形の隔壁２１を形成し、その隔壁２１内に制動板１４を配置するようになっている。また、その制動板１４を配置する隔壁２１内には、突部２２が形成されている。前記突部２２は、図１では、上下に２箇所設けてあり、各突部２２は、左右方向になだらかな傾斜を設けたものとすることにより、後述のように制動板１４を滑らかに回動できるようにしてある。
【００１９】
また、前記パネル面には、前記回転素子本体１０のシャフト１１を挿通するための貫通孔２０の他に、制動板側と回転素子本体１０のクリック機構側を連通する切欠２３が設けられている。
【００２０】
前記貫通孔２０は、図１のように上方を水平にカットして周り止めとして回転素子本体１０の位置が一義的に決まるようにしてある。
【００２１】
また切欠２３は、図１のように旗様の竿の部分を貫通孔２０の周と並行に形成することにより、後述の連動部材２６を旗の部分から挿通して回動可能な状態となるようにしている。
【００２２】
さらに、パネル１３の隔壁２１内には３個のディンプル２４が設けられている。前記ディンプル２４は、後述するように制動板１４の位置決めをするためのものである。また、このディンプル２４の前方に凹部２５を設けて、後述の制動板１４のレバー１７を配置できるようにしてある。
【００２３】
一方、上記ダイヤルツマミ（以後、ツマミ）１２は、内側（制動板側）に摩擦板１８を備えている。前記摩擦板１８は、ドーナツ状をした樹脂製のもので、中心の穴がツマミ１２の軸穴（回転素子本体１０のシャフトが嵌入される）と合致するように嵌め込まれている。
【００２４】
上記制動板１４は、金属製のドーナツ円板に接触部１６とレバー１７及び連動部材２６を設けたものである。前記接触部１６は、この形態では図１に示すような一対の円弧状の舌片からなり、円板に１８０°おきに設けられている（ツマミ１２の摩擦板１８からはみ出さない大きさで）。また、その接触部１６の舌片の表面には、例えばゴム板あるいはフェルトによる滑り止めが取り付けられている。
【００２５】
さらに、その接触部（舌片）１６は、図２のようにパネル１３に対して傾斜させてある。このように接触部１６を傾斜させることにより、後述するように制動板１４を回動させた際に、パネル面に設けた突部２２との接触位置が傾斜に応じて変わるようにして、突部２２によって持ち上げられる制動板１４の高さを変えてツマミ１２の摩擦板１８との摩擦量を変える。こうすることでツマミ１２の回転の度合いを調整できるようにしてある。
【００２６】
また、制動板１４には、側部にレバー１７を設けて制動板１４を回動できるようにしてある。そのため、前記レバー１７は、図１のように複数回折り曲げて、前述のパネル１３の凹部２５に達するようにして、ツマミ１２から突出するようにしてある。さらに、レバー１７の裏面には突起３２を設けてパネル１３のディンプル２４に嵌まるようにしてある。こうすることで、後述のようにレバー１７の位置決めができるようになっている。
【００２７】
また一方、制動板１４には、連動部材２６を設けて前記回転素子本体１０のクリック機構９と当接するようにしてある。連動部材２６は、前記レバー１７と並行に設けられたＬ型の舌片で、図１の切欠２３を介して回転素子本体１０側へ挿通して、レバー１７の回動に連動できるようになっている。また、Ｌ型の先端を反らせることにより、後述のクリック機構９の係合部３０との当接をスムースに行えるようにしてある。
【００２８】
クリック機構９は、図３に示すように、回転素子本体１０のシャフト１１に設けられたロータ３とボール（ボール状の係止部）４及び弾性部材２７とで構成されている。
【００２９】
回転素子本体１０は、ロータ３を取り付けたシャフト１１をケースのホルダー（外周にネジ溝の切られた）３３に挿通し、ワッシャとＥリングとで回動自在に取り付けたものである。
【００３０】
前記ロータ３は、全周に凹部１と凸部２を順に形成したパルスエンコーダを兼ねるもので、非磁性体の樹脂製とすることにより、後述する磁石の影響を受けないようにしてある。
【００３１】
ボール４は、ロータ３の周の凹部１に嵌合する大きさのもので、磁性体で形成されており、図３のように回転素子本体１０のケースの挿通孔に嵌入する。なお、ここではボール４を磁性体としたが弾性部材が磁性体の場合はボール４を磁石（磁化したものでも可）で形成する。
【００３２】
弾性部材２７は、Ｅ字型に似た形状の金属板からなり、前記Ｅ字型の一方（図では下方の横棒部分）に孔を設けて、回転素子本体１０のケースにネジ止めして固定する。また、このＥ字型の他方（真ん中の横棒部分）にボール４との当接部２８を形成してある。
【００３３】
前記当接部２８は、図５（ａ）のように円錐形に似た先端形状の磁石で形成しており、その当接部２８でボール４を吸着する。また、Ｅ字型の他方（上方の横棒部分）はストッパーとなっており、ケースに当接して弾性部材２７を支持し、ボール４をちょうどロータ３の周に圧接させる。
【００３４】
このように圧接されたボール４は、磁力でもって弾性部材２７と吸着（固着ではなく）しているので、ボール４をロータ３に圧接している場合でもロータ３が回転すると、ボール４も回転して、前記ロータ３の回転を妨げることはない。また、弾性部材２７を移動すると、移動する弾性部材２７がボール４を吸着してロータ３から離すことができるので、クリック機構９を解除できる。そのため、弾性部材２７には、前記連動部材２６との係合部３０が形成してある。
【００３５】
すなわち、係合部３０は、Ｅ字型の縦棒の上部を切欠いて外側に折り曲げて受けを設けた形状をしており、前記受けで連動部材２６の舌片を受ける。
【００３６】
したがって、連動部材２６の回動にともなって、図４（ａ）、（ｂ）のように、弾性部材２７を矢印で示す外側に撓ませることができるので、図５（ａ）、（ｂ）及び図６（ａ）、（ｂ）のように、ボール４を吸着してロータ３から離すことができる。その際、連動部材２６の回動を妨げないよう回転素子本体１０のケースに凹部３１を形成してある。
【００３７】
この形態は、上記のように構成されており、この形態のダイヤル機構では、まず、図３のようなクリック機構９を備えた回転素子本体１０のシャフト１１を図１のように、パネル１３の貫通孔２０に挿通し、挿通したシャフト１１のホルダー３３に制動板１４とワッシャを嵌めボルトで固定する。その際、制動板１４のレバー１７はパネル１３の凹部２５に来るように位置決めして取り付ける。このように取り付けが終わるとシャフト１１の先端にツマミ１２を嵌めると図２のように組み立てられる。
【００３８】
組立の終わったこのダイヤルでは、図７（ａ）のようにレバー１７を一番上のディンプル２４の位置にすると、レバー１７の突起３２が嵌まり、その位置がわかる。このとき、図８（ａ）のように、傾斜の付けられた制動板１４の接触部１６とパネル１３の突部２２は、接触部１６とパネル１３の間の隙間の小さな部分で接触することになり、突部２２が制動板１４の接触部１６を持ち上げる高さが高くなって、ツマミ１２の摩擦板１８との摩擦量が大きくなる。その結果、ツマミ１２が重くなって回転量は少なくなる。このとき、制動板１４の連動部材２６は、この位置では、回転素子本体１０の弾性部材２７の係合部３０を圧接しないので、弾性部材２７は、図８（ａ）のように、ボール４をロータ３に圧接した状態となる。そのため、ツマミ１２を回すとロータ３の凹部１にボールが嵌まり、１クリックごとに係止するため１カウントのパルスが得られる。
【００３９】
次に、図７（ｂ）のように制動板１４のレバー１７を真ん中のディンプル２４の位置にする。すると、ディンプル２４にレバー１７の突起３２が嵌まりその位置がわかる。このとき、図８（ｂ）のように制動板１４とパネル１３の突部２２との接触位置は、前記接触部１６とパネル１３との隙間が先の位置より大きな中間位置で接触することになり、接触部１６を持ち上げる高さが少し低くなってツマミ１２の摩擦板１８との摩擦量が少し小さくなる。その結果、ダイヤルが少し軽くなって回転量が大きくなる。このとき、制動板１４の連動部材２６は回転素子本体１０の弾性部材２７の係合部３０を圧接するので、図８（ｂ）のように、弾性部材２７は、ボール４を吸着してロータ３から離反させる。その結果、クリック機構９は解除された状態となり、ツマミ１２はクリック感のない状態で回動できる。
【００４０】
さらに、図７（ｃ）のように制動板１４のレバー１７を下方のディンプル２４の位置にする。すると、先程と同様、前記ディンプル２４にレバー１７の突起３２が嵌まり、その位置がわかる。このとき、図８（ｃ）のように制動板１４の接触部１６とパネル１３の突部２２との接触位置は、接触部１６とパネル１３との隙間が大きくなって接触しなくなる位置となるので、制動板１４の接触部１６を持ち上げなくなり、ツマミ１２の摩擦板１８との摩擦量は無くなる。その結果、ツマミ１２はフリーの状態となる。このとき、制動板１４の連動部材２６は、回転素子本体１０の弾性部材２７の係合部３０を先程より強く圧接するので、図８（ｃ）のように、さらに弾性部材２７は撓んで吸着したボール４をロータ３から完全に離反させる。その結果、クリック機構９は解除された状態を継続するので、ツマミ１２はフリーの状態で軽く大きく回転させることができる。
【００４１】
このようにレバー１７の操作でクリック機構９を解除できるので、制動力調整機構のダイヤルにクリック機構を付加して使い分けができる。
【００４２】
なお、このレバー１７の切替えは、ここでは上から下の方向へ移動させたときを述べたが、下から上に移動させても同じように動作する。
【００４３】
また、この形態では、弾性部材２７に板状のものを使用した場合について述べたが、これ以外にもスプリング５を使用するようにもできる。その場合、スプリング５を磁化するかボール４を磁化すれば良い。そして、スプリング５を移動させる手段（例えば、一方を固定し、他方にスプリング５を取り付けた弾性板など）を設ければ良い。
【図面の簡単な説明】
【００４４】
【図１】実施形態の分解斜視図
【図２】実施形態の一部切欠縦断側面図
【図３】クリック機構の分解斜視図
【図４】（ａ）、（ｂ）実施形態の作用説明図
【図５】（ａ）は実施形態の要部の横断面図、（ｂ）は（ａ）の動作説明図
【図６】（ａ）は図５（ａ）のVIａ−VIａ断面図、（ｂ）は（ａ）の動作説明図
【図７】（ａ）、（ｂ）、（ｃ）実施形態の作用説明図
【図８】（ａ）、（ｂ）、（ｃ）実施形態の作用説明図
【図９】従来例の作用説明図
【符号の説明】
【００４５】
１  凹部
２  凸部
３  ロータ
４  ボール
５  スプリング
９  クリック機構
１０  回転素子本体
１１  シャフト
１２  ツマミ
１３  パネル
１４  制動板
１６  接触部
１７  レバー
１８  摩擦板
２０  貫通孔
２２  突部
２３  切欠
２６  連動部材
２７  弾性部材
２８  当接部
３０  係合部
【図１】
2006286349.tif 000003
【図２】
2006286349.tif 000004
【図３】
2006286349.tif 000005
【図４】
2006286349.tif 000006
【図５】
2006286349.tif 000007
【図６】
2006286349.tif 000008
【図７】
2006286349.tif 000009
【図８】
2006286349.tif 000010
【図９】
2006286349.tif 000011